(57)【要約】【課題】ほうきで塵や砂を掃き寄せる場合、穂先を横方向へ振り出し、斜めになった状態から掃き始めるため、掃き寄せ角度（清掃面に対する穂先の角度）が小さくなり、特に比重の大きな砂が一部残る問題があった。又、高さが十分に無い清掃場所では、ほうきを傾けて用いる必要性から、手前に塵や砂を掃き寄せることが困難であった。更に、掃き寄せた塵や砂を塵取りに取り込む際、長柄ほうきでは扱い難い問題があった。【解決手段】長さ調整できる伸縮柄を取付けた伸縮柄取付け部と、穂先を固定ネジにて取付けた穂先取付け部を、回転軸を介して一体化し、穂先傾斜角調整部を形成することにより、穂先傾斜角を０〜９０度の範囲に於いて、角度調整ネジを用いて任意に設定したほうき。【選択図】図１
2018122066.tif 000002
【特許請求の範囲】
【請求項１】
長さ調整できる伸縮柄（３）を取付けた伸縮柄取付け部（４）と、穂先（１１）を固定ネジ（９）にて取付けた穂先取付け部（８）を、回転軸（６）を介して一体化し、穂先傾斜角調整部（５）を形成することにより、穂先傾斜角（α）を０〜９０度の範囲に於いて、角度調整ネジ（７）を用いて任意に設定することができることを特徴とするほうき。
【発明の詳細な説明】
【技術分野】
【０００１】本発明は、土間や庭等を清掃する際に用いられるほうきに関するものである。
【背景技術】
【０００２】従来、ほうきは、特許文献１や特許文献２に示されるように、柄の先端にシダや化学繊維等にて成形された穂先を固定したものが用いられている。
【先行技術文献】
【特許文献】
【０００３】
【特許文献１】実開平５−６８４６８号公報
【特許文献２】特開平１０−１１３３２１号公報
【発明の概要】
【発明が解決しようとする課題】
【０００４】従来、ほうきは、柄の先端にシダや化学繊維等の穂先を、樹脂製の保持具等を用いて固定したもの、又は、自在ほうきと称される、幅広の短い穂先を有するほうきで、幅方向に対してネジによる角度調整ができるもの等が用いられている。然しながら、ほうきを用いて塵や砂を掃き寄せる場合、図４に示す如く、先ず、穂先を横方向へ振り出し、斜めになった状態から掃き始めるため、掃き寄せ角度（清掃面に対する穂先の角度）が小さくなり、特に比重の大きな砂が一部残る問題があった。又、高さが十分に無い清掃場所にあっては、ほうきを傾けて用いる必要性から、手前に塵や砂を掃き寄せることが困難であった。更に、長柄ほうきでは、集めた塵や砂を塵取りに取り込む際、扱い難い問題があった。本発明は、以上の問題を解決するものである。
【課題を解決するための手段】
【０００５】長さ調整できる伸縮柄（３）を取付けた伸縮柄取付け部（４）と、穂先（１１）を固定ネジ（９）にて取付けた穂先取付け部（８）を、回転軸（６）を介して一体化し、穂先傾斜角調整部（５）を形成することにより、穂先傾斜角（α）を０〜９０度の範囲に於いて、角度調整ネジ（７）を用いて任意に設定することができる。
以上の構成より成るほうき。
【発明の効果】
【０００６】  本発明は、塵や砂を掃き寄せる場合、掃き寄せ角度が概ね直角になるよう、穂先傾斜角（α）を設定することにより、比重の大きな砂も容易に掃き寄せることができる。又、高さが十分に無い清掃場所に於いても、掃き寄せ角度が概ね直角になるよう、穂先傾斜角（α）を設定することにより、塵や砂を手前に効率よく掃き寄せることができる。又、伸縮柄にすることにより、塵取りへの塵や砂の取り込みも容易にできる。更に、手前から外側へ塵や砂を掃き出す場合に於いても、同様な効果が得られる。
【図面の簡単な説明】
【０００７】
【図１】本発明の斜視図である。
【図２】本発明の穂先傾斜角調整部（５）の要部側面図である。
【図３】本発明の図２の右側面図である。
【図４】従来の使用状態図である。
【図５】本発明の使用状態図である。
【図６】本発明の高さが十分に無い清掃場所に於ける使用状態図である。
【図７】本発明品の高さが十分に有る清掃場所用の斜視図である。
【発明を実施するための形態】
【０００８】  以下に本発明を実施するための形態を説明する。
（イ）伸縮柄（３）の上端に設ける吊環（１）は、樹脂、ゴム又は薄肉鋼板を用いて成形したキャップ（２）と一体型のもの、又は、キャップ（２）に、紐状にした合成繊維、樹脂又はゴムを環状にしたもの、或いは、鋼線を用いて逆Ｕ字型に成形したものを取付ける。
（ロ）伸縮柄（３）は、軽量なアルミ、樹脂又は薄肉鋼板を用いた二段式伸縮型にて、Ｍｉｎ約７０ｃｍ〜Ｍａｘ約１３０ｃｍの伸縮性能を有し、伸縮柄取付け部（４）に挿入後、セットネジにて固定する。
（ハ）伸縮柄取付け部（４）は、上部に伸縮柄（３）を挿入する穴を有し、挿入部の上方に、脱落防止用のセットネジ孔を設ける。又、下部の円形状の中心部に穂先取付け部（８）と回転軸を介して一体化するため、回転軸（６）用の貫通孔（ａ）を設け、その上方に角度調整ネジ（７）用の貫通孔（ｂ）を設ける。
（ニ）穂先傾斜角調整部（５）は、上部に伸縮柄（３）を取付けた伸縮柄取付け部（４）、下部に穂先（１１）を取付けた穂先取付け部（８）から成り、図３に示す如く、伸縮柄取付け部（４）の貫通孔（ａ）と、穂先取付け部（８）の貫通孔（ｃ）を合わせた後、回転軸（６）を挿入して一体化となすことができる。又、０〜９０度の範囲に於いて、穂先傾斜角（α）を任意に設定できる角度調整ネジ（７）を設ける。
（ホ）穂先取付け部（８）は、上部に伸縮柄取付け部（４）を挟み込む構造とし、円形状の中心部に回転軸（６）を挿入して一体化するべく貫通孔（ｃ）を設けると共に、穂先傾斜角（α）を０〜９０度の範囲にて、任意に設定するための長孔を、同心円上に設ける。又、穂先（１１）が消耗品として簡単に取替えできるよう、固定ネジ（９）及び座板（１０）を用いて取付ける。
（ヘ）穂先（１１）は、シダや化学繊維を扁平に束ねた後、ステープルを用いて樹脂又は金属製の保持具と一体成形し、固定ネジ（９）にて着脱できるネジ穴を設ける。
本発明は以上のような構造である。
【０００９】  本発明を使用するときは、図５に示す如く、先ず、塵や砂を掃き寄せる場合にあっては、穂先（１１）を横方向へ振り出し、斜めになった状態で、掃き寄せ角度が概ね直角になるよう、穂先傾斜角（α）を設定する。設定は、穂先傾斜角調整部（５）に設けた角度調整ネジ（７）により、意図する角度に固定する。穂先傾斜角（α）が設定されたことにより、効率良く掃き寄せることができる。又、図６に示す如く、テーブル、ベンチ及びウッドデッキ等に見られる、下部空間の高さが十分に無い清掃場所に於いて、塵や砂を手前に掃き寄せる場合にあっては、穂先傾斜角（α）を０〜９０度の範囲にて設定することにより、穂先（１１）を手前に引くことが可能となり、効率良く掃き寄せることができる。
【実施例】
【００１０】  本発明の具体的な実施例を図１に基づいて説明する。吊環（１）は、ほうきを立て掛けて保管した際の穂先（１１）の変形防止として、吊り下げて保管できるよう、伸縮柄（３）の上端に設けるもので、樹脂製のキャップ（２）の先端に合成繊維を用いて紐状にした吊環（１）を取付ける。又、伸縮柄（３）は、二段式で、把持し易い太さの軽量なアルミ材を用いる。穂先傾斜角調整部（５）は、樹脂製のネジ締め付け固定式で、０〜９０度の範囲内にて、穂先傾斜角（α）を任意に設定することができる。当該穂先傾斜角調整部（５）は、伸縮柄取付け部（４）の上部に設けた筒状の穴に伸縮柄（３）を挿入し、セットネジにて固定する。又、穂先（１１）は、穂先傾斜角調整部（５）の下部に設けた、穂先取付け部（８）に固定ネジ（９）及び座板を用いて取付ける。以上の構成により、当該ほうきは、掃き寄せ角度を概ね直角になるよう、穂先傾斜角（α）を設定することにより、塵や砂を効率良く掃き寄せることができる。【００１１】  又、高さが十分に有る清掃場所用として、図７に示す如く、伸縮柄（３）の先端に、穂先傾斜角（α）を５〜１０度に限定し、任意の角度にて伸縮柄取付け部（４）と穂先（１１）を樹脂又は薄肉鋼板を用いて一体成型した穂先傾斜保持具（１２）を用いることにより、シンプルで軽量なほうきを形成し、塵や砂を効率良く掃き寄せることができる。尚、伸縮柄（３）に換えて長柄を用いることにより、更に軽量化することができる。【００１２】  以上の穂先傾斜角（α）を有するほうきは、手前から外側へ塵や砂を掃き出す場合も同様に、効率良く行うことができる。
【符号の説明】
【００１３】１  吊環
２  キャップ
３  伸縮柄
４  伸縮柄取付け部
５  穂先傾斜角調整部
６  回転軸
７  角度調整ネジ
８  穂先取付け部
９  固定ネジ
１０  座板
１１  穂先
１２  穂先傾斜保持具
１３  テーブル、ベンチ及びウッドデッキ等
α  穂先傾斜角
ａ〜ｃ  貫通孔
【図１】
2018122066.tif 000003
【図２】
2018122066.tif 000004
【図３】
2018122066.tif 000005
【図４】
2018122066.tif 000006
【図５】
2018122066.tif 000007
【図６】
2018122066.tif 000008
【図７】
2018122066.tif 000009